(57)【要約】【課題】新築建物の外壁、又は既存建物の外壁を外装材で施工する場合に、出隅部分に出隅用外装材を取り付けて仕上げる施工方法を提供する。【解決手段】建物の外壁へ横張りした外装材の縦縁との間に一定幅の目地溝を形成して出隅用外装材を取り付ける出隅部分の施工方法において、出隅部分の外壁面に、当該出隅部分の角の形状に等しい角度に成形加工された出隅修正用捨て板を、その角の稜線が当該出隅部分の正規の角稜線と一致する位置へ固定し、しかる後に前記出隅修正用捨て板の外面に沿って出隅用外装材を取り付ける。【選択図】図１
2004156217.tif 000002
【特許請求の範囲】
【請求項１】
建物の外壁へ横張りした外装材の縦縁との間に一定幅の目地溝を形成して出隅用外装材を取り付ける出隅部分の施工方法において、
出隅部分の外壁面に、当該出隅部分の角の形状に等しい角度に成形加工された出隅修正用捨て板を、その角の稜線が当該出隅部分の正規の角稜線と一致する位置へ固定し、しかる後に前記出隅修正用捨て板の外面に沿って出隅用外装材を取り付けることを特徴とする、外装材による出隅部分の施工方法。
【請求項２】
建物の外壁へ横張りした外装材の縦縁との間に一定幅の目地溝を形成して出隅用外装材を取り付ける出隅部分の施工方法において、
出隅部分の柱の外面に、当該出隅部分の角の形状に等しい角度に成形加工された出隅修正用捨て板を、その角の稜線が当該出隅部分の正規の角稜線と一致する位置へ固定し、しかる後に前記出隅修正用捨て板の外面に沿って出隅用外装材を取り付けることを特徴とする、外装材による出隅部分の施工方法。
【請求項３】
出隅部分の正規の角稜線の位置は下げ振り等により計測して確認することを特徴とする、請求項１又は２に記載した外装材による出隅部分の施工方法。
【請求項４】
出隅部分の外壁面に胴縁を取り付け、前記胴縁の外面に出隅修正用捨て板を取り付けることを特徴とする、請求項１に記載した外装材による出隅部分の施工方法。
【発明の詳細な説明】
【０００１】
【発明の属する技術分野】
この発明は、新築建物の外壁を乾式外装材（以下、単に外装材という。）で施工し、又は既存建物の外壁を外装材で改修等する場合に、出隅部分に出隅用外装材を取り付けて仕上げる施工方法の技術分野に属する。更に言えば、出隅部分の曲がりや変形、或いは施工誤差等に左右されることなく、横張りした外装材との間に形成する目地溝の幅寸や稜線を精度良くきっちりと仕上げて外観意匠を良好に施工する方法に関する。
【０００２】
【従来の技術】
従来、建物の外壁を外装材で施工することは、例えば特許文献１等に記載されて公知、周知に属し、広く実施されている。
建物の外壁を横張り外装材で施工する場合に、出隅部分の施工に専用の出隅用外装材を使用することも、特許文献２等に開示されて公知に属する。因みに、図７と図８は、建物のベランダ部分の外壁を外装材で施工した実施例を示している。図中の符号１は大部分の外壁面を覆う横張り外装材で、２が出隅部分を部分的に覆う出隅用外装材である。横張り外装材１と出隅用外装材２それぞれの縦縁同士の繋ぎ部分には、通例１０ｍｍ程度の目地溝３が形成される。
【０００３】
もっとも、出隅部分の施工の難しさ、特に出隅部分の柱や壁の曲がりその他の変形、或いは施工誤差等が原因で、目地溝３を精度良く綺麗に仕上げて外観意匠を良好に施工することの難しさが当業界の頭痛の種になっている。その解決策として、従来、出隅部分までも全部横張り外装材で覆い、直角に交わる双方向の外装材の交点部分（角）の外面を局部的に被覆して意匠性を高めるコーナカバー部材を使用することも、特許文献３等に開示されて公知であり、多く実用されている。コーナカバー部材の使用例を図９に示した。図中の符号４がコーナカバー部材を指す。
【０００４】
【特許文献１】
実公昭５４−２５１３６号公報
【特許文献２】
特開平９−３１７１４９号公報
【特許文献３】
特許第３１１５３８３号公報
【０００５】
なお、本出願人は、特願２００１−３２２７７４号明細書及び図面に、出隅部分の施工に好適に使用される出隅用外装材（発明の名称：出隅部材）の一種を提案している。
【０００６】
【本発明が解決しようとする課題】
特に老朽化した既存建物の外壁改修工事においては、出隅部分の柱の傾きや壁の歪み、変形等が原因で、出隅部分の角の稜線（以下、角稜線という。）が直線でなかったり、前方や横又は後ろ等へ様々に傾いている場合が多い。このような場合に、図７，８のように同建物の外壁へ横張りする外装材１を水平および垂直方向にいくら精度良く取り付けても、その縦縁と、出隅用外装材２の縦縁との高精度な整合性を確保することが難しい。というのも出隅用外装部材２は下から上方へと縦方向に施工するので、その取付状態は、出隅部部分の傾きや歪み等に大きく支配され（又は倣って）同様な傾きや変形等を生ずるからである。その結果、出隅用外装材２の縦縁に不測の傾きを生じ、横張りした外装材１の縦縁との間に形成する目地溝３の幅寸（約１０ｍｍ）が、出隅部分の前記傾きに倣って上方向へ又は下方向へ広がったり狭まったりする。或いは部分的な広狭を生じて、仕上がり状態の悪さが一見して明らかとなる。その結果、未熟な施工、あるいは不良工事だとして施主から不評を被ることが多い。
【０００７】
上述した問題点の発生を嫌って、上記特許文献３等に開示されて公知であるコーナカバー部材を使用する施工例も増えている。しかし、図９に例示しているようにコーナカバー部材４を使用すると、同部材が建物の出隅部分に隆起する突起物となり、平坦な壁面の滑らかさが阻害され、外観の意匠性が悪くなる、等々の理由でコーナカバー部材４の使用を嫌う施主も多い。
【０００８】
よって、本発明の目的は、老朽化した既存建物の特に出隅部分が柱の傾きや壁の歪み等が原因で、同出隅部分の角の稜線が直線でなかったり、前や横又は後ろ等へ様々に傾いている場合でも、これを計測により事前に確認して、当該出隅部分本来の正しい角稜線を出隅修正用捨て板により再現し又は出現させ、この出隅修正用捨て板の外面に沿って出隅用外装材を取り付けることにより、出隅部分の施工精度を可及的に高め、もって横張りした外装材との間の目地溝の幅寸が上方向や下方向へ広がったり狭まったりする不都合、或いは部分的な広狭を生ずる不都合を未然に防止して、仕上がり状態の良さ、意匠性の良さを容易、且つ確実に実現できるように改良した、外装材による出隅部分の施工方法を提供することである。
【０００９】
本発明によれば、格別に高度な技術的熟練を要求されることもなく、仕上がり状態と意匠性が良好な、外装材による出隅部分の施工が可能となり、ひいては外装材による外壁工事の大きな問題点とされた出隅部分の施工性を全面解決できるのである。
【００１０】
【課題を解決するための手段】
上記従来技術の課題を解決するための手段として、請求項１記載の発明に係る外装材による出隅部分の施工方法は、既存建物への施工方法であって、
建物の外壁へ横張りした外装材の縦縁との間に一定幅の目地溝を形成して出隅用外装材を取り付ける出隅部分の施工方法において、
出隅部分の外壁面に、当該出隅部分の角の形状に等しい角度に成形加工された出隅修正用捨て板を、その角の稜線が当該出隅部分の正規の角稜線と一致する位置へ固定し、しかる後に前記出隅修正用捨て板の外面に沿って出隅用外装材を取り付けることを特徴とする。
【００１１】
請求項２に記載した発明に係る外装材による出隅部分の施工方法は、新築建物への施工方法であって、
建物の外壁へ横張りした外装材の縦縁との間に一定幅の目地溝を形成して出隅用外装材を取り付ける出隅部分の施工方法において、
出隅部分の柱の外面に、当該出隅部分の角の形状に等しい角度に成形加工された出隅修正用捨て板を、その角の稜線が当該出隅部分の正規の角稜線と一致する位置へ固定し、しかる後に前記出隅修正用捨て板の外面に沿って出隅用外装材を取り付けることを特徴とする。
【００１２】
請求項３記載の発明は、請求項１又は２に記載した外装材による出隅部分の施工方法において、出隅部分の正規の角稜線の位置は下げ振り等により計測して確認することを特徴とする。
【００１３】
請求項４記載の発明は、請求項１に記載した外装材による出隅部分の施工方法において、出隅部分の外壁面に胴縁を取り付け、前記胴縁の外面に出隅修正用捨て板を取り付けることを特徴とする。
【００１４】
【発明の実施形態】
以下に、請求項１〜４に記載した発明に係る外装材による出隅部分の施工方法の実施形態を説明する。
はじめに、本発明で言う乾式外装材１（横張り外装材、以下、単に外装材という場合がある。）及び出隅用外装材２の構成と基本概念について概説する。
【００１５】
本発明で言う外装材１とは、上記特許文献１その他によって既に多く開示されて公知、周知である通り、表面に防蝕用のメッキや塗装を施した所謂プレコート薄金属板を化粧性の高い表面材とし、アルミニュウム箔をクラフト紙に貼り合わせたような裏面材との間に硬質の合成樹脂発泡体を充填して、見た目の厚さを発揮させると共に断熱性を高めた構成である。通例、横張りする外装材１の高さ寸法は３０ｃｍ〜５０ｃｍ程度、長さは４ｍ程度の長方形とされ、その上辺部と下辺部には所謂「実はぎ」と呼ばれる雌、雄の嵌合部を設けてあり、建物外壁に対しては通例下から上向きに釘打ち等の手段で固定しながら取り付ける。
【００１６】
出隅用外装材２は、前記外装材１と実質同一の構造であり、高さ寸法も通例等しいが、出隅部分の角の形状に合わせて一辺の長さが１０ｃｍ程度の直角なＬ字形状に構成されている。この出隅用外装材２も、やはり上下の端部に「実はぎ」として雌、雄の嵌合部が形成されており、建物の出隅部分へは釘打ち等の手段で固定しながら、下から上方へと縦方向に順に取り付ける。更に具体的には、既述した本出願人の特願２００１−３２２７７４号明細書及び図面に詳しく開示したものが参照される。
【００１７】
図１〜図５は、請求項１に記載した発明に係る、既存建物の外壁改修工事を外装材で施工する場合の出隅部分の施工方法の実施形態を示している。
先ず図１は、既存建物のモルタル壁５等の外面の全面に、横張りする外装材１の釘打ち固定等の下地となる木製の胴縁６…をおよそ４５ｃｍ程度の間隔を開けて縦方向にそれぞれ平行な配置で釘打ち等の手段で取り付けた状態を示す。図１はまた、出隅部分の角部両側面に、出隅用外装材２を取り付ける下地となる平板状の胴縁７、７を、やはり釘打ち等の手段により先行して取り付けた状態も示している（請求項４記載の発明）。図中の符号８は建物の柱を指している。
【００１８】
上記のように胴縁６，７を取り付けた後に、横張り外装材１及び出隅用外装材２の取り付け施工を行う。その概況を図２と図４に示している。
出隅部分の施工に関しては、前記平板状胴縁７、７の外面に、当該出隅部分を水平に切断して見た角の形状（通例は直角である。）に等しい角度に成形加工された出隅修正用捨て板１０を、その角の稜線１０ａが当該出隅部分の正規の角稜線と一致する位置へ先行して取り付け固定する。この出隅修正用捨て板１０を下地とし、その外面に沿って出隅用外装材２を取り付けるのである（以上請求項１記載の発明）。
【００１９】
上記の出隅修正用捨て板１０は、一例として亜鉛メッキ薄鉄板等を予め工場加工として、出隅部分の角の角度に等しい角形状に折り曲げ加工したものであり、好ましくは建物の出隅部分の高さ寸法と等しい長さとされる。この出隅修正用捨て板１０の両側縁部には外側へ小さく折り返したハゼ折り１０ｂを設け、雨仕舞いの水密性の向上が図られている。
【００２０】
上記の出隅修正用捨て板１０を、その角の稜線１０ａが当該出隅部分の正規の角稜線と一致する位置となるように取り付け固定する手段としては、種々考えられ実施できるが、例えば図２、図３に示した下げ振り１１を好適に使用できる。即ち、出隅修正用捨て板１０の上端部に腕材１２をビス止め等の撤去可能な手段で仮付けし、前記腕材１２に下げ振り１１の糸１１ａを吊り、鉛直度を測定する方法である。もっとも、腕材１２の取り付け態様は、図２のように直角２面（２方向）に２個設置する態様と、図３のように出隅修正用捨て板１０が形成する角度（直角）を二等分する方向に突き出させる態様等を実施できる。
【００２１】
何れの態様であれ、腕材１２に下げ振り１１の糸１１ａの上端を止着し、同下げ振り１１を出隅修正用捨て板１０と略等しい長さに吊り下げる。そして、当該出隅修正用捨て板１０の上端部を、その角稜線１０ａが出隅部分の正規の角稜線の位置と一致するように仮止めする。次いで、下げ振り１１が静止状態になるのを待って、同下げ振り１１の糸１１ａと出隅修正用捨て板１０の角稜線１０ａの位置との相対関係を物差し等で計測して当該出隅部分の正規の角稜線の位置を確認し、その位置へ出隅修正用捨て板１０の角稜線１０ａの位置を一致させるのである（請求項３記載の発明）。
【００２２】
つまり、下げ振り１１の糸１１ａが静止すると鉛直状態を保つから、これとの相対関係（距離や方向性等）を計測すると、当該出隅部分の現状の傾きや歪み、変形等が直ちに判明する。即ち、出隅部分の角の現状の稜線が直線であるかないか、そして、傾きが前方寄りか横方向寄りか又は後ろ方向寄りであるか等が直ちに判明する。よって、静止した下げ振り１１の糸１１ａと一定の関係を有する線が正規の角稜線の位置と言うことになる。
【００２３】
なお、図３に例示したように、出隅修正用捨て板１０の下部に、腕材１２と基点および向きを同一とする計測板１２’を、下げ振り１１よりも少し上位の位置に糸１１ａと近接するように設置しておくと、物差し等を用意しないでも、出隅修正用捨て板１０の取り付け位置を一目瞭然に知ることが出来て便利である。計測板１２’には目盛りを記入しておくのが好都合である。
【００２４】
上述したようにして、静止した下げ振り１１の糸１１ａを正しく墨出しして吊り下げ、その糸１１ａとの相対位置を計測すると、当該出隅部分の正規の角稜線の位置が直ちに判明し、その位置へ出隅修正用捨て板１０の角稜線の位置を一致させて取り付けることが出来る。前記の作業は、さして熟練を要することなく、容易且つ迅速に確実に行える。前記のようにして出隅修正用捨て板１０を正規の稜線位置へ取り付けた後に、前記腕材１２と下げ振り１１及び計測板１２’を撤去し、出隅修正用捨て板１０（の角稜線１０ａ）の外面に倣って、同様な角形状の出隅用外装材２を取り付けると、それだけで出隅用外装材２は正に出隅部分の正規の角稜線の位置に取り付けることができる。そして、横張りした外装材１の縦縁との関係において、目地溝３を一定幅の直線状に高精度に綺麗に形成することができ、外観の意匠性を良好にでき、施主の満足を十分に得ることが出来る。なお、図４，図５中の符号１５は目地溝３に設置するシーリング材１６のバックアップ材である。また、図４中の符号１ａ，２ａはそれぞれ横張り外装材１及び出隅用外装材２の「実はぎ」を構成する嵌合部を指している。
【００２５】
次に、図６は、請求項２に記載した発明に係る、新築建物の外壁工事を外装材で行う場合の出隅部分の施工方法の実施形態を示している。
図６が上記図４と異なる点は、新築建物であるが故に外壁は外装材のみで構築する構成であり、モルタル壁５等は存在しないことである。もっとも、図示することを省略したが、外装材の内面については、公知の内装仕上げを当然に行う。
【００２６】
図６の場合も、建物の外壁として横張りした外装材１の縦縁と、出隅部分の出隅用外装材２の縦縁との間に、一定幅の目地溝３を形成して取り付け施工が行われる。もっとも、本実施形態の場合には、新築建物であるが故に、通例出隅部分の柱８の外面に直接、当該出隅部分の角の形状に等しい角度に成形加工された出隅修正用捨て板１０を、その角稜線１０ａが当該出隅部分の正規の角稜線と一致する位置へ固定し、もって柱８の建て方誤差等を出隅修正用捨て板１０により最終的に修正する。しかる後に、前記出隅修正用捨て板１０の外面に沿って出隅用外装材２を取り付けることは、上記第一の実施形態と同様である（請求項２に記載した発明）。
【００２７】
新築建物の柱８に建て方誤差等はないと考えて良く、よって出隅修正用捨て板１０はむしろ、出隅用外装材２を取り付けるための下地と考えて実施することができる。本実施形態の場合も、出隅部分の正規の角稜線の位置は、やはり図２又は図３のように下げ振り１１を利用した計測法等により簡単、迅速に確認することができる。
【００２８】
【本発明が奏する効果】
請求項１〜４に記載した発明に係る外装材による出隅部分の施工方法は、例えば老朽化した既存建物の特に出隅部分が柱の傾きや壁の歪み、変形等が原因で、同出隅部分の角の稜線が直線でなかったり、前や横又は後ろ等へ様々に傾いている場合にも、これを計測により事前に確認して、当該出隅部分本来の正しい角稜線を出隅修正用捨て板により再現し又は出現させ、この出隅修正用捨て板の外面に沿って出隅用外装材を取り付けることにより、出隅部分の施工精度を可及的に高められる。従って、目地溝の幅寸が上方向や下方向へ広がったり狭まったりする不都合、或いは部分的な広狭を生ずる不都合を未然に防止できる。よって、仕上がり状態の良さ、意匠性の良さを容易、且つ確実に実現できるのである。
【００２９】
本発明によれば、出隅修正用捨て板を先行して取り付けるだけの手間で済み、その作業に格別に高度な技術的熟練を要求されることもない。しかも出隅修正用捨て板を取り付けるだけであるからコスト的な負担が少なくて済み、仕上がり状態と意匠性が良好な、外装材による出隅部分の施工が可能となる。ひいては従来外装材による外壁工事の大きな問題点とされた出隅部分の施工の難しさを全面解決できるのである。
【図面の簡単な説明】
【図１】既存建物について請求項１に係る発明による施工方法の実施形態を示した主要部の斜視図である。
【図２】出隅修正用捨て板の取り付け作業の状況を示した斜視図である。
【図３】下げ振りの使用態様の一例を示した斜視図である。
【図４】外装材による外壁工事の途中段階を示した斜視図である。
【図５】出隅部分の施工結果を示す水平断面図である。
【図６】新築建物について請求項２に係る発明による施工方法の実施形態を示した斜視図である。
【図７】外装材による外壁の施工状態を部分的に示した斜視図である。
【図８】外装材による出隅部分の施工状態を示した斜視図である。
【図９】外装材による出隅部分の異なる施工例を示した斜視図である。
【符号の説明】
１      横張り外装材
２      出隅用外装材
３      目地溝
１０    出隅修正用捨て板
１０ａ  角稜線
８      柱
１１    下げ振り
６，７  胴縁
【図１】
2004156217.tif 000003
【図２】
2004156217.tif 000004
【図３】
2004156217.tif 000005
【図４】
2004156217.tif 000006
【図５】
2004156217.tif 000007
【図６】
2004156217.tif 000008
【図７】
2004156217.tif 000009
【図８】
2004156217.tif 000010
【図９】
2004156217.tif 000011